(57)【要約】ユーザが、入力装置の所定のキーを、当該装置に接続されたデータバスネットワーク上の任意の装置に割り当てることを可能にし、ユーザが所定のキーを用いて特定の装置を素早く選択し、制御することを可能にする方法及び装置である。一実施形態によれば、上記方法は、ユーザに入力装置のキーを当該装置に間接的に接続されたデータバスネットワーク上の装置に割り当てることを可能にするステップと、割り当てられたキーの入力に応じて、ユーザが当該装置を選択し、制御することを可能にするステップとを含む。
2005524296.tif 000002
【特許請求の範囲】
【請求項１】
ビデオ信号処理装置を制御する方法であって、
複数の周辺装置を前記装置に接続するのに用い得るデータバスネットワーク接続を介して、前記装置を周辺装置に接続するステップと、
セットアップモード中に、前記周辺装置から識別情報を受信するステップと、
ユーザが、前記装置に関連付けられたユーザ入力装置の選択したキーを、前記データバスネットワーク接続に接続された前記周辺装置に関連付けることを可能にするオンスクリーンディスプレイを提供するステップと、
ユーザ入力に応じて、前記ユーザ入力装置の前記選択したキーを、前記データバスネットワークに接続された前記周辺装置に関連付けるステップと、
ユーザが前記ユーザ入力装置の前記選択したキーを作動させると、前記周辺装置の出力を、前記装置に関連付けられた表示装置に供給するステップと、
ユーザが前記選択したキーを作動させると、前記ユーザ入力装置で前記周辺装置を制御するステップと
を含むことを特徴とする方法。
【請求項２】
請求項１記載の方法であって、前記受信ステップは、新たな周辺装置が前記データバスネットワーク接続を介して前記装置に接続される度に、前記セットアップモードに入り、前記セットアップモード中に上記周辺装置の各々から識別情報を受信することを特徴とする方法。
【請求項３】
請求項２記載の方法であって、前記受信ステップはさらに、前記データバスネットワーク上の各装置を一意の識別子に関連付けるテーブルを生成することを特徴とする方法。
【請求項４】
請求項３記載の方法であって、前記関連付けステップは、前記ユーザ入力装置の前記選択したキーを、前記選択した装置に関連付けられた前記一意の識別子に関連付ける第２のテーブルを生成することを特徴とする方法。
【請求項５】
請求項４記載の方法であって、前記データバスネットワークは、ＩＥＥＥ１３９４ネットワークを含むことを特徴とする方法。
【請求項６】
請求項３記載の方法であって、前記関連付けステップはさらに、前記ユーザ入力装置の前記選択したキーと、前記複数の装置の前記選択した一つとの間の関連性を、前記複数の装置の順序が前記データバスネットワーク上で再構成されたときにも、維持することを特徴とする方法。
【請求項７】
ビデオ信号処理装置であって、
複数の周辺装置を前記装置及びデータバスネットワークに接続する入力／出力端子と、
オンスクリーンディスプレイ信号を提供する手段と、
ビデオ信号を表示装置に供給する手段と、
ユーザが複数のキーの選択された一つを作動したときに、ユーザ入力信号を生成する手段と、
前記入力／出力端子に接続され、前記データバスネットワークに接続された装置からビデオ信号を受信し、表示に適した出力信号を供給するプロセッサと、
前記出力信号を表示装置に供給する手段とを有し、前記提供手段は、ユーザが前記生成手段の選択したキーを前記データバスネットワークに接続された周辺装置の選択されたものと関連付けることを可能にするオンスクリーンディスプレイを提供し、前記処理手段及び前記供給手段は、前記選択された周辺装置の出力を前記表示装置に接続し、前記生成手段は、ユーザが前記選択したキーを作動すると、前記選択された周辺装置を制御することを特徴とするビデオ信号処理装置。
【請求項８】
請求項７記載のビデオ信号処理装置であって、前記プロセッサは、前記データバスネットワークに接続された前記周辺装置の各々から、前記ネットワークのセットアップモード中に、識別情報を受信し、前記提供手段は、前記セットアップモード中に受信された前記識別情報を含むオンスクリーンディスプレイを提供することを特徴とするビデオ信号処理装置。
【請求項９】
請求項８記載のビデオ信号処理装置であって、前記プロセッサは、前記データバスネットワーク上の各装置を一意の識別子と関連付けるテーブルを生成することを特徴とするビデオ信号処理装置。
【請求項１０】
請求項９記載のビデオ信号処理装置であって、前記プロセッサは、前記ユーザ入力装置の前記選択したキーを、前記選択された装置の前記一意の識別子と関連付ける第２のテーブルを生成することを特徴とするビデオ信号処理装置。
【請求項１１】
請求項１０記載のビデオ信号処理装置であって、前記プロセッサは、前記ユーザ入力装置の前記選択したキーと、前記複数の装置の前記選択された一つとの間の関連性を、前記複数の装置の順序が前記データバスネットワーク上で再構成されたときにも、維持することを特徴とするビデオ信号処理装置。
【請求項１２】
請求項１０記載のビデオ信号処理装置であって、前記データバスネットワークは、ＩＥＥＥ１３９４ネットワークを含むことを特徴とするビデオ信号処理装置。
【請求項１３】
テレビ受信機であって、
複数の周辺装置を前記テレビ受信機及びデータバスネットワークに接続する入力／出力端子と、
オンスクリーンディスプレイ信号を提供する手段と、
ビデオ信号を表示装置に供給する手段と、
ユーザが複数のキーの選択された一つを作動させたときに、ユーザ入力信号を生成する手段と、
前記入力／出力端子に接続され、前記データバスネットワークに接続された周辺装置からテレビ信号を受信し、表示に適した出力信号を供給するプロセッサと、
前記出力信号を表示装置に供給する手段とを有し、前記提供手段は、ユーザが前記生成手段の選択したキーを前記データバスネットワークに接続された周辺装置の選択されたものと関連付けることを可能にするオンスクリーンディスプレイを提供し、前記処理手段及び前記供給手段は、前記選択された周辺装置の出力を前記表示装置に接続し、前記生成手段は、ユーザが前記選択したキーを作動させると、前記選択された周辺装置を制御することを特徴とするテレビ受信機。
【請求項１４】
請求項１３記載のテレビ受信機であって、前記プロセッサは、前記データバスネットワークに接続された前記周辺装置の各々から、前記ネットワークのセットアップモード中に、識別情報を受信し、前記提供手段は、前記セットアップモード中に受信された前記識別情報を含むオンスクリーンディスプレイを提供することを特徴とするテレビ受信機。
【請求項１５】
請求項１４記載のテレビ受信機であって、前記プロセッサは、前記データバスネットワーク上の各装置を一意の識別子と関連付けるテーブルを生成することを特徴とするテレビ受信機。
【請求項１６】
請求項１５記載のテレビ受信機であって、前記プロセッサは、前記ユーザ入力装置の前記選択したキーを、前記選択された装置の前記一意の識別子と関連付ける第２のテーブルを生成することを特徴とするテレビ受信機。
【請求項１７】
請求項１６記載のテレビ受信機であって、前記データバスネットワークは、ＩＥＥＥ１３９４ネットワークを含むことを特徴とするテレビ受信機。
【発明の詳細な説明】
【技術分野】
【０００１】
本発明は、一般にビデオ信号処理装置及びビデオ信号処理装置の制御方法に関し、特に、当該装置に接続されたデータバスネットワーク上の任意の装置に、ユーザが入力装置の所定のキーを割り当てることを可能にし、当該入力装置を選択された装置に関連付けられるよう再構成して、ユーザが所定のキーを用いて上記任意の装置を素早く選択、制御することを可能とする装置及び方法に関する。
【背景技術】
【０００２】
データバスは、電子装置を相互接続するのに用いられる。電子装置としては、例えば、テレビ信号受信機、パーソナルコンピュータ、表示装置、ビデオカセットレコーダ（ＶＣＲ）、ＤＶＤプレーヤ、直接放送衛星（ＤＢＳ：ｄｉｒｅｃｔ  ｂｒｏａｄｃａｓｔ  ｓａｔｅｌｌｉｔｅ）受信機、ホームコントロール装置（例えば、セキュリティシステムや温度制御装置等）その他が挙げられる。データバスを用いた通信は、通常、特定のバスプロトコルに従って行われる。このようなバスプロトコルの例としては、高性能シリアルバスの規格である、Ｉｎｓｔｉｔｕｔｅ  ｆｏｒ  Ｅｌｅｃｔｒｉｃａｌ  ａｎｄ  Ｅｌｅｃｔｒｏｎｉｃ  Ｅｎｇｉｎｅｅｒｓ  １３９４（ＩＥＥＥ１３９４、又は、ＦｉｒｅＷｉｒｅ（登録商標））があり、公知である。
【０００３】
ＩＥＥＥ１３９４バスのようなデータバスがあれば、相互接続された装置のネットワークを構成することができ、ユーザは、例えば当該ネットワーク上のある装置をネットワーク上の別の装置への入力を通じて制御し得る。従って、ＩＥＥＥ１３９４バスは、当該バスに接続された装置間に相互運用性を提供することができる。ＩＥＥＥ１３９４バスはまた、比較的多数の相互接続された装置（例えば、最大６３台）に対応することができる。しかし、ネットワークにさらに装置が接続されるに従って、ユーザが特定の装置を選択して制御することは次第に困難となる。例えば、ネットワークが拡張するにつれて、当該ネットワーク上で第２の装置であったＶＣＲが、後に当該ネットワーク上の第１２の装置となることがあり得る。従って、ユーザが、ＩＥＥＥ１３９４バスのようなデータバスに接続された特定の装置を制御用に選択することを可能にする技術、望ましくは、ネットワークへの装置の追加や装置の除去に容易に対応可能な技術への需要がある。
【０００４】
ＩＥＥＥ１３９４バスネットワークのようなデータバスネットワークに接続された特定の装置をユーザが選択できるようにする方法として、ネットワークに装置が追加（すなわち、接続）及びネットワークから装置が除去（すなわち、切断）されると更新されるオンスクリーンリストを提供することがあげられる。例えば、既存のＩＥＥＥ１３９４バスネットワークに装置を追加する場合、追加された装置は、他の全てのネットワーク装置に認識され、ネットワーク装置のリストに追加される。上記リストは、他の全てのネットワーク装置によって保守される。同様に、既存のＩＥＥＥ１３９４バスネットワークから装置を除去する場合、当該装置の除去が他の全てのネットワーク装置によって認識され、当該装置はネットワーク装置のリストから除かれる。
【０００５】
従って、任意の時間に任意のネットワーク装置を選択するのに、ユーザは現在のネットワーク装置リストのオンスクリーンディスプレイに、ネットワークに接続された別の装置を介してアクセスし、当該リストをスクロールして特定の装置を選択し得る。しかし、こうしたアプローチは、よく用いられる装置をユーザが選択する度に、極めて長い装置のリストをスクロールしなければならないかも知れず、不都合である。
【発明の開示】
【発明が解決しようとする課題】
【０００６】
従って、上記の問題を回避して、装置に接続された、ＩＥＥＥ１３９４バスネットワークといったデータバスネットワーク上の任意の装置を、ユーザが素早く選択して制御することができる方法及び装置に対する必要性がある。本発明は、上記その他の問題を解決するものである。
【課題を解決するための手段】
【０００７】
本発明のある側面によれば、データバスネットワークに接続された装置を制御する方法が開示される。一実施形態によれば、上記方法は、複数の周辺装置を前記装置に接続するのに用い得るデータバスネットワーク接続を介して、前記装置を周辺装置に接続するステップと、セットアップモード中に、前記周辺装置から識別情報を受信するステップと、ユーザが、前記装置に関連付けられたユーザ入力装置の選択したキーを、前記データバスネットワーク接続に接続された前記周辺装置に関連付けることを可能にするオンスクリーンディスプレイを提供するステップと、ユーザ入力に応じて、前記ユーザ入力装置の前記選択したキーを、前記データバスネットワークに接続された前記周辺装置に関連付けるステップと、ユーザが前記ユーザ入力装置の前記選択したキーを起動すると、前記周辺装置の出力を、前記装置に関連付けられた表示装置に供給するステップと、ユーザが前記選択したキーを作動させると、前記ユーザ入力装置で前記周辺装置を制御するステップとを含む。
【０００８】
本発明の別の側面によれば、上述した方法を実行することができる装置が開示される。一実施形態によれば、上記装置は、複数の周辺装置を前記装置及びデータバスネットワークに接続する入力／出力端子と、オンスクリーンディスプレイ信号を提供する手段と、
ビデオ信号を表示装置に供給する手段と、ユーザが複数のキーの選択された一つを作動したときに、ユーザ入力信号を生成する手段と、前記入力／出力端子に接続され、前記データバスネットワークに接続された装置からビデオ信号を受信し、表示に適した出力信号を供給するプロセッサと、前記出力信号を表示装置に供給する手段とを有し、前記提供手段は、ユーザが前記生成手段の選択したキーを前記データバスネットワークに接続された周辺装置の選択されたものと関連付けることを可能にするオンスクリーンディスプレイを提供し、前記処理手段及び前記供給手段は、前記選択された周辺装置の出力を前記表示装置に接続し、前記生成手段は、ユーザが前記選択したキーを作動すると、前記選択された周辺装置を制御する。
【発明を実施するための最良の形態】
【０００９】
本発明の上記その他の特徴や利点、その達成方法については、以下に説明する本発明の実施形態を添付の図面と共に参照することでより明らかとなる。
【００１０】
本明細書中に示す実施形態は、本発明の好適な実施形態であって、本発明の範囲を限定するものではない。
【００１１】
図面、特に図１を参照すると、本発明の実施に適した装置１００が示されている。装置１００は、プロジェクションスクリーンテレビとして具体化されたテレビ信号受信機の一部を例示及び説明のために示すものである。しかし、当業者は、本発明の原理を、以下に説明する機能を実行するその他の装置に適用し得ることが理解するであろう。
【００１２】
図１に示すように、装置１００は、オーディオ／ビデオ入出力（ＡＶ  ＩＯ）ブロック１０１、フロントオーディオ／ビデオ（ＦＡＶ）コネクタ１０２、デジタル処理ブロック１０３、フロントパネルアセンブリ（ＦＰＡ）１０４、赤外線（ＩＲ）プリアンプ１０５、オーディオブロック１０６、電源１０７、サブウーファアンプ／電源１０８、サブウーファ１０９、偏向ブロック１１０、収束ブロック１１１、ＣＲＴ１１２〜１１４、ヨーク１１５〜１１７を有する。図１の前述した構成要素は、図１中のデータラインで示されるように動作可能に接続されている。当業者には、図１に示された構成要素の多く、又は構成要素の組み合わせを集積回路（ＩＣ）を用いて具体化できることが理解されるであろう。
【００１３】
ＡＶ  ＩＯブロック１０１は、様々な入力端子を有する。この入力端子には、Ｓ−ｖｉｄｅｏ入力、ＲＦ入力、コンポーネント入力、ＩＥＥＥ１３９４入力が含まれるが、これらに限定されるものではない。また、ＡＶ  ＩＯブロック１０１は、図１に示すように、オーディオ入力、ビデオ入力、制御入力、及び／又は、その他の入力を受信及び処理し、処理した信号を装置１００の他の構成要素に出力する。一実施形態によれば、ＡＶ  ＩＯブロック１０１は、オーディオ入力、ビデオ入力、制御入力、及び／又は、その他の入力を、図２に示す装置等、複数の外部ソースから受信する。なお、外部ソースは、図２に示す装置に限定されるものではない。
【００１４】
図１及び図２に示すように、ＡＶ  ＩＯブロック１０１は、オーディオ入力、ビデオ入力、制御入力、及び／又は、その他の入力を外部装置２０１〜２０３から受信する。これらは、図２においては、ＤＢＳ受信機、ＶＣＲ、及びＤＶＤプレーヤとして例示的に示されている。他の外部装置をＡＶ  ＩＯブロック１０１に接続しても良く、外部装置の数は、例えばＡＶ  ＩＯブロック１０１が備える入力端子の数に依存しても良い。
【００１５】
ＡＶ  ＩＯブロック１０１は、ＩＥＥＥ１３９４バスネットワーク等の、少なくとも一つの双方向デジタルデータバスネットワーク２１０（図２参照）に動作可能に接続される。図２に示すように、データバスネットワーク２１０は、ＩＥＥＥ１３９４バスプロトコル等、公知の方法で互いに通信可能な最大Ｎ個の相互接続された装置（例えば、テレビ信号受信機、パーソナルコンピュータ、表示装置、ＶＣＲ、ＤＶＤプレーヤ、ＤＢＳ受信機、その他の装置等）を有する。一実施形態によれば、Ｎは６３である。装置１００は、オーディオ信号、ビデオ信号、制御信号、及び／又は、その他の信号を、ＡＶ  ＩＯブロック１０１を介して、データバスネットワーク２１０上の任意の装置とやり取りし得る。データバスネットワーク２１０は、図２に示す構成に限られず、他の多様な構成をとり得る。
【００１６】
ＡＶ  ＩＯブロック１０１はまた、処理されたオーディオ入力をオーディオブロック１０６から受信する。一実施形態によれば、ＡＶ  ＩＯブロック１０１は、入力される、又は出力される、合成ビデオ信号及び全てのオーディオ信号を処理して、更なる処理のためにデジタル処理ブロック１０３に出力する一方、コンポーネントビデオ信号（例えば、２Ｈ、２．１４Ｈ、Ｙ、Ｐｒ、Ｐｂ等のビデオ情報）を偏向ブロック１１０に出力する。ＦＡＶコネクタ１０２は、オーディオ入力及び／又はビデオ入力をＡＶ  ＩＯブロック１０１に供給するよう作動する。
【００１７】
デジタル処理ブロック１０３は、装置１００の様々なデジタル機能、例えば、チューニング、復調、信号のデコンプレッション、記憶及びその他の機能等を実行する。デジタル処理ブロック１０３は、処理されたビデオ信号を、画像表示を可能とする偏向ブロック１１０に出力する。後述するように、デジタル処理ブロック１０３は、特に、ユーザがユーザ入力装置（ＵＩＤ）の所定のキーを、データバスネットワーク２１０上の特定の装置に割り当てることを可能にして、ユーザが当該所定のキーを用いて特定の装置を素早く選択し、制御することを可能にする。
【００１８】
ＦＰＡ１０４は、手持ち式のＩＲリモコン、キーボード、又はその他の入力装置等のＵＩＤからのユーザ入力を受信し、当該ユーザ入力に対応する信号をＩＲプリアンプ１０５に出力するインタフェースである。後述するように、ユーザはＵＩＤの所定のキーをデータバスネットワーク２１０上の特定の装置に割り当てても良く、これにより、ユーザは所定のキーを用いて特定の装置を素早く選択し、制御し得る。ＩＲプリアンプ１０５は、ＦＰＡ１０４から供給される信号を、デジタル処理ブロック１０３に出力するために増幅する。
【００１９】
オーディオブロック１０６は、様々なオーディオ処理機能を実行し、処理したオーディオ信号を出力する。一実施形態によれば、オーディオブロック１０６は、センターチャンネルの入力信号を受信し、これを処理してオーディオ出力信号を生成する。図１に示すように、オーディオブロック１０６は、オーディオ出力信号を装置１００の外部スピーカ及び内部スピーカの双方に供給する。また、オーディオブロック１０６は、オーディオ出力信号をＡＶ  ＩＯブロック１０１に供給し、またサブウーファオーディオ信号をサブウーファアンプ／電源１０８に供給する。
【００２０】
図１に示すように、電源１０７は、交流電源から入力される信号（ＡＣ−ＩＮ）を受信し、装置１００の様々な構成要素に動力を供給する電圧信号を出力する。一実施形態によれば、電源１０７は、上記電圧信号をＡＶ  ＩＯブロック１０１、デジタル処理ブロック１０３、オーディオブロック１０６、サブウーファアンプ／電源１０８、偏向ブロック１１０に供給する。サブウーファアンプ／電源１０８は、オーディオブロック１０６から供給されるサブウーファオーディオ信号を増幅し、増幅したサブウーファオーディオ信号をサブウーファ１０９に供給する。サブウーファアンプ／電源１０８は、電圧信号もサブウーファ１０９に出力するが、この電圧信号はサブウーファ１０９の電源として機能する。サブウーファ１０９は、サブウーファアンプ／電源１０８から供給される、増幅されたサブウーファオーディオ信号を聴覚的に出力する。
【００２１】
偏向ブロック１１０は、装置１００の偏向機能を制御するよう作動する。一実施形態によれば、偏向ブロック１１０は、偏向制御信号をヨーク１１５〜１１７に出力する。ヨーク１１５〜１１７はそれぞれ、ＣＲＴ１１２〜１１４で生成された高輝度ビームの水平偏向及び垂直偏向を制御する。偏向ブロック１１０はまた、デジタル処理ブロック１０３から供給される、処理されたビデオ信号と他の制御信号に対応するＣＲＴ１１２〜１１４に色制御信号を出力するよう作動する。また、一実施形態によれば、偏向ブロック１１０は、電圧信号を収束ブロック１１１とＣＲＴ１１２〜１１４に、その電源として出力する。
【００２２】
収束ブロック１１１は、装置１００の収束機能を制御するよう作動する。一実施形態によれば、図１に示すように、収束ブロック１１１は、収束制御信号をヨーク１１５〜１１７に出力する。ヨーク１１５〜１１７は、ＣＲＴ１１２〜１１４から出射される高輝度ビームの焦点をスクリーン（図示せず）上に正確に合わせるために、正の収束調整を制御する。
【００２３】
ＣＲＴ１１２〜１１４はそれぞれ、高輝度の赤色、緑色、及び青色のビームを生成し、偏向ブロック１１０からの色制御信号に対応するスクリーンに表示するよう作動する。ヨーク１１５〜１７はそれぞれ、偏向ブロック１１０からの偏向制御信号と収束ブロック１１１からの収束制御信号に応じて、ＣＲＴ１１２〜１１４を制御するよう作動する。他の適当な表示装置、例えば、ＬＣＤ、プラズマディスプレイ、ＯＬＥＤ、ＤＬＰディスプレイ等を用いても良い。
【００２４】
図３には、本発明のある面によるステップを説明するフローチャート３００が示されている。図３のステップについて、図１の装置１００と図２の外部装置を参照しつつ説明する。従って、図３のステップは単なる例示にすぎず、本発明を限定するものではない。
【００２５】
ステップ３０１で、装置１００は、データバスネットワーク２１０上の装置を含む外部装置に接続される。一実施形態によれば、ユーザは、オーディオ入力信号及び／又はビデオ入力信号を装置１００に提供するため、図２の装置２０１〜２０３をＡＶ  ＩＯブロック１０１の入力端子に従来の方法で物理的に接続する。ステップ３０１ではまた、ユーザは、装置１〜Ｎを所望の構成で物理的に接続し、データバスネットワーク２１０上の装置の一つをＡＶ  ＩＯブロック１０１の入力／出力端子（例えば、ＩＥＥＥ１３９４端子）に接続して、図２のデータバスネットワーク２１０を構成する。前述したように、データバスネットワーク２１０は、図２に示した構成に限らず、多様な構成をとり得る。
【００２６】
一実施形態によれば、装置１００は、各装置がデータバスネットワーク２１０に接続されると、当該装置をその二次的なアナログ接続の必要性も含めてステップ３０１で検出する。ネットワークへの新たな装置の追加及び認識、ネットワークからの装置の除去の際におけるバスネットワークの動作は周知である。一般に、ネットワークに接続されると、ネットワークは設定処理を受け、ネットワーク２１０上の各装置は、製造者名、モデル名、ＧＵＩＤ及びＥＵＩＤを含む識別子、当該装置の様々な出力や機能を含む、識別データ及び制御データをネットワーク設定の必要に応じて提供する。このようなデータは、一般に各装置のコンフィグレーションＲＯＭに格納される。上記のようなデータは、その装置が装置１００への二次的なアナログ接続を必要とするかも示す。装置１００又はネットワーク上の指定された装置は、上記データを（例えば、デジタル処理ブロック１０３のメモリに）格納し、データバスネットワーク２１０に装置が接続及び／又は切断されるとそれに応じて当該データを更新する。このようにして、装置１００は、データバスネットワーク２１０上で自身に接続される全装置を、その二次的なアナログ接続の要求も含めていつでも把握する。この時点で、ユーザは周辺装置のアナログ出力を、装置１００の任意の使用可能なアナログ入力に接続し得る。
【００２７】
ステップ３０１で装置１００が外部装置に接続された後、処理フローはステップ３０２に進み、装置１００のセットアップメニューがユーザによりアクセスされる。特に、ステップ３０２でアクセスされるセットアップメニューは、ユーザがＵＩＤの所定キーをデータバスネットワーク２１０上の特定の装置に割り当てることを可能として、ユーザが所定キーを用いて当該特定の装置を素早く選択することを可能にする。一実施形態によれば、ユーザは、装置１００により提供される多様なオンスクリーンメニューからの選択を可能にするＵＩＤを介して装置１００に入力を提供して、ステップ３０２でセットアップメニューにアクセスする。このようなメニューは、例えばデジタル処理ブロック１０３のメモリに格納しても良い。デジタル処理ブロック１０３は、多様なオンスクリーンメニューの生成を可能として、ユーザ入力に対応する。上記多様なオンスクリーンメニューは、ＣＲＴ１１２〜１１４を介して表示される。このようにして、ユーザは、ＵＩＤの所定キーをデータバスネットワーク２１０上の特定の装置に割り当てを可能とする、装置１００の特定のオンスクリーンメニューを選択し得る。図４に、このようなオンスクリーンメニューの例４００を示す。
【００２８】
ステップ３０３で、ＵＩＤのキーは、データバスネットワーク２１０上の特定の装置にユーザにより割り当てられる。一実施形態によれば、ユーザは、ステップ３０３でのキーの割り当てを、ステップ３０２でアクセスされるオンスクリーンメニューに対応するＵＩＤを介して装置１００に入力を供給することで行う。本発明の重要な面の一つは、ユーザが、ＵＩＤのキーをデータバスネットワーク２１０上の、図２におけるデータバスネットワーク２１０の装置１のような、装置１００に直接接続された装置以外の特定の装置に割り当てることを可能とする機能である。つまり、本発明は、図２におけるデータバスネットワーク２１０の装置２〜Ｎのような、装置１００に間接的に接続された装置を含む、データバスネットワーク２１０上の任意の装置にユーザがＵＩＤのキーを割り当てることを可能にするものである。装置１００は、データバスネットワーク２１０に接続された各装置を一意のインデックス識別子に関連付けるテーブルを生成する。各装置は、ＥＵＩＤ等、データバスネットワーク２１０のセットアップモード中に受信される識別情報によって一意に識別することができる。そして、装置１００は、インデックス識別子をＵＩＤのキーと関連付ける第２のテーブルを生成し得る。キーを作動させると、選択した装置の出力が装置１００に供給され、ＵＩＤで選択された装置を制御し得る。あるいは、ＵＩＤの選択されたキーを、セットアップモード中に受信された識別情報に直接関連付けても良い。
【００２９】
図４のオンスクリーンメニュー４００に示されるように、ユーザは、例えばデータバスネットワーク２１０に接続された全装置（例えば、装置１〜Ｎ）のリストをスクロールして、ＵＩＤの所定のキー（例えば、キー１）に関連付けるべきデータバスネットワーク２１０上の装置を選択しても良い。一実施形態によれば、デジタル処理ブロック１０３は、ユーザ選択を検出し、それに対応するデータを格納する。このようにして、デジタル処理ブロック１０３は、ＵＩＤの所定のキーをデータバスネットワーク２１０上の特定の装置に関連付ける。オンスクリーンメニュー４００は例に過ぎず、本発明によるオンスクリーンメニュー４００において、コンテキストセンシティブヘルプ情報といった他のメニューアイテム、及び／又は、他のアイテムを提供しても、他のフォーマットを用いても良い。
【００３０】
ステップ３０４で、ユーザは、ＵＩＤの別のキーをデータバスネットワーク２１０上の別の装置に割り当てることができる。例えば、ユーザは、ＵＩＤの別のキー（例えば、キー２等）をデータバスネットワーク２１０上の別の装置にアサインするのに、図４のオンスクリーンメニュー４００とやり取りし得る。実際、ＵＩＤのキーは、ユーザがキーを特定の装置に容易に関連付けられることができる記述的な名前（例えば、ＶＣＲ、ＤＶＤ、ＤＢＳ等）を有していても良い。
【００３１】
ステップ３０４の判定が肯定的な場合、処理フローはステップ３０３に戻り、ＵＩＤの別のキーが、データバスネットワーク２１０上の別の装置に、上述した方法で割り当てられる。従って、ステップ３０３と３０４は、例えば、ＵＩＤの割り当て可能なキーの数や、ユーザが割り当てたいＵＩＤのキーの数に応じて、何度か繰り返しても良い。
【００３２】
ステップ３０４の判定が否定的な場合、処理フローはステップ３０５に進み、ユーザはＵＩＤの割り当てられた一又は複数のキーを用いて、データバスネットワーク２１０上の対応する一又は複数の装置を選択して制御し得る。一実施形態によれば、ユーザがＵＩＤの割り当てたキーを押下すると、デジタル処理ブロック１０３は、ＡＶ  ＩＯブロック１０１を介して、一又はそれ以上の制御信号をデータバスネットワーク２１０上の対応する装置に出力する。このような制御信号は、装置を初期設定し（例えば、「目覚めさせ」）、ユーザからＵＩＤを介してデータバスネットワーク２１０経由で供給された制御命令（例えば、再生、巻き戻し、停止等）を当該装置が即座に受信し、実行できるようにする。このようにして、ユーザはＵＩＤの一つのキーを押下して、データバスネットワーク２１０上の装置を素早く選択し、選択した装置に制御命令を即座に供給し得る。前述したように、本発明は特に、データバスネットワーク２１０上の、装置１００に間接的に接続された装置、つまり、データバスネットワーク２１０の装置２〜Ｎを選択し、制御するのに有用である。
【００３３】
既述したように、本発明は特に、ユーザが入力装置の所定のキーを、当該装置に接続されたデータバスネットワーク上の任意の装置に割り当てることを可能とし、これにより、ユーザが所定のキーを用いて特定の装置を素早く選択し、制御することを可能とする方法及び装置を提供する。本発明はまた、例えば、データバスネットワークへの装置の追加や、データバスネットワークからの装置の除去を容易に対応する点で、有利である。
【００３４】
本発明は特に、様々なビデオ信号処理装置に適用可能である。本発明は、上述した多様な信号処理機能を実行する様々な電子装置に適用可能である。従って、本明細書において「テレビ信号受信機」という語は、テレビジョンセット、コンピュータ、モニタ、セットトップボックス、ＶＣＲ、ＤＶＤプレーヤ、ステレオ、ビデオゲームボックス、パーソナルビデオレコーダ（ＰＶＲ）、及び／又は、その他の装置を含む、システムや装置を指し得る。さらに、実施形態について説明して説明したが、上述した機能を、必要に応じてマイクロプロセッサ、メモリエレメント、装置制御エレメント、及びソフトウェアエレメントを含む、多様な構成要素や構成要素の組み合わせを用いて実施できることは当業者には明らかである。
【００３５】
本発明を好適な構成を有するものとして説明したが、本発明はその趣旨及び範囲内においてさらに変形することが可能である。従って、本明細書は、本発明の一般的な原理を用いる、本発明のいかなる変形例、使用例、適用例をも含むものである。さらに、本明細書は、本発明に係る分野において周知又は慣例とされる範囲、及び、添付の特許請求の範囲に含まれる変形例を含むものとする。
【００３６】
本明細書は、２００２年４月２４日に米国特許商標局に出願された出願番号６０／３７５，２７１号の仮出願の優先権を主張するものである。
【図面の簡単な説明】
【００３７】
【図１】本発明の実施に適した装置の例である。
【図２】図１の装置に複数の装置を接続する例を示す図である。
【図３】本発明によるステップの例を示すフローチャートである。
【図４】本発明による使用に適したオンスクリーンメニューの例である。
【図１】
2005524296.tif 000003
【図２】
2005524296.tif 000004
【図３】
2005524296.tif 000005
【図４】
2005524296.tif 000006
【国際調査報告】
2005524296.tif 000007
2005524296.tif 000008
2005524296.tif 000009